【手続補正書】
【提出日】平成28年3月28日(2016.3.28)
【手続補正１】
【補正対象書類名】特許請求の範囲
【補正対象項目名】全文
【補正方法】変更
【補正の内容】
【特許請求の範囲】
【請求項１】
レシート発行用の第１印刷装置に接続されると共に、前記第１印刷装置とは異なる第２印刷装置が接続された制御装置であって、
前記第１印刷装置にレシートを発行させるレシート用制御コマンドを生成して出力する印刷制御部と、
前記印刷制御部が生成した前記レシート用制御コマンドに、画像データに基づく画像の印刷を指示する画像印刷指示コマンドであってクーポン画像の印刷を指示するクーポン画像印刷指示コマンドが含まれているか否かを判別し、
含まれていると判別された場合、前記クーポン画像印刷指示コマンドを抜き出したレシート用制御コマンドを生成して前記第１印刷装置に出力すると共に、前記クーポン画像印刷指示コマンドに基づいて、クーポン画像を印刷させるクーポン用制御コマンドを生成して前記第２印刷装置に出力するデータ処理部と、
を備えることを特徴とする制御装置。
【請求項２】
前記データ処理部は、
前記レシート用制御コマンドの中から前記画像印刷指示コマンドを抽出すると共に、抽出した前記画像印刷指示コマンドに含まれる画像データを、予め記憶したテンプレートデータと比較し、これらデータが対応している場合に、抽出した前記画像印刷指示コマンドが前記クーポン画像印刷指示コマンドであると判別し、前記クーポン画像印刷指示コマンドが前記レシート用制御コマンドに含まれていると判別する
ことを特徴とする請求項１に記載の制御装置。
【請求項３】
前記データ処理部は、
前記レシート用制御コマンドの中から前記画像印刷指示コマンドを抽出すると共に、抽出した前記画像印刷指示コマンドに含まれる画像データの文字を認識し、予め定められた所定の文字列が含まれている場合に、抽出した前記画像印刷指示コマンドが前記クーポン画像印刷指示コマンドであると判別し、前記クーポン画像印刷指示コマンドが前記レシート用制御コマンドに含まれていると判別する
ことを特徴とする請求項１に記載の制御装置。
【請求項４】
前記データ処理部は、
前記レシート用制御コマンドの中から前記画像印刷指示コマンドを抽出すると共に、抽出した前記画像印刷指示コマンドに含まれる画像データの少なくとも一部が、予め定められた所定のデータ列によって構成されている場合に、抽出した前記画像印刷指示コマンドが前記クーポン画像印刷指示コマンドであると判別し、前記クーポン画像印刷指示コマンドが前記レシート用制御コマンドに含まれていると判別する
ことを特徴とする請求項１に記載の制御装置。
【請求項５】
前記データ処理部は、
前記レシート用制御コマンドの中から前記画像印刷指示コマンドを抽出すると共に、抽出した前記画像印刷指示コマンドに含まれる画像データの誤り検出符号、または、ハッシュ値が、予め定められた所定の値と一致する場合に、抽出した前記画像印刷指示コマンドが、前記クーポン画像印刷指示コマンドであると判別し、前記クーポン画像印刷指示コマンドが前記レシート用制御コマンドに含まれていると判別する
ことを特徴とする請求項１に記載の制御装置。
【請求項６】
前記印刷制御部は、
発行しようとしているレシートに係る会計に関する所定の条件が成立した場合に、成立した条件に対応するクーポンに係る前記クーポン画像印刷指示コマンドを前記レシート用制御コマンドに含め、
前記データ処理部は、
前記レシート用制御コマンドに基づいて、発行しようとしているレシートに係る会計に関する所定の条件が成立しているか否かを判別し、成立している場合、前記クーポン画像印刷指示コマンドが前記レシート用制御コマンドに含まれていると判別することを特徴とする請求項１に記載の制御装置。
【請求項７】
レシート発行用の第１印刷装置に接続されると共に、前記第１印刷装置とは異なる第２印刷装置が接続された制御装置の制御方法であって、
前記第１印刷装置にレシートを発行させるレシート用制御コマンドを生成する印刷制御ステップと、
前記印刷制御ステップが生成した前記レシート用制御コマンドに、画像データに基づく画像の印刷を指示する画像印刷指示コマンドであってクーポン画像の印刷を指示するクーポン画像印刷指示コマンドが含まれているか否かを判別し、
含まれていると判別された場合、前記クーポン画像印刷指示コマンドを抜き出したレシート用制御コマンドを生成して前記第１印刷装置に出力すると共に、前記クーポン画像印刷指示コマンドに基づいて、クーポン画像を印刷させるクーポン用制御コマンドを生成して前記第２印刷装置に出力するデータ処理ステップと、
を有することを特徴とする制御装置の制御方法。
【請求項８】
前記データ処理ステップは、
前記レシート用制御コマンドの中から前記画像印刷指示コマンドを抽出すると共に、抽出した前記画像印刷指示コマンドに含まれる画像データを、予め記憶したテンプレートデータと比較し、これらデータが対応している場合に、抽出した前記画像印刷指示コマンドが前記クーポン画像印刷指示コマンドであると判別し、前記クーポン画像印刷指示コマンドが前記レシート用制御コマンドに含まれていると判別する
ことを特徴とする請求項７に記載の制御装置の制御方法。
【請求項９】
前記データ処理ステップは、
前記レシート用制御コマンドの中から前記画像印刷指示コマンドを抽出すると共に、抽出した前記画像印刷指示コマンドに含まれる画像データの文字を認識し、予め定められた所定の文字列が含まれている場合に、抽出した前記画像印刷指示コマンドが前記クーポン画像印刷指示コマンドであると判別し、前記クーポン画像印刷指示コマンドが前記レシート用制御コマンドに含まれていると判別する
ことを特徴とする請求項７に記載の制御装置の制御方法。
【請求項１０】
前記データ処理ステップは、
前記レシート用制御コマンドの中から前記画像印刷指示コマンドを抽出すると共に、抽出した前記画像印刷指示コマンドに含まれる画像データの少なくとも一部が、予め定められた所定のデータ列によって構成されている場合に、抽出した前記画像印刷指示コマンドが前記クーポン画像印刷指示コマンドであると判別し、前記クーポン画像印刷指示コマンドが前記レシート用制御コマンドに含まれていると判別する
ことを特徴とする請求項７に記載の制御装置の制御方法。
【請求項１１】
前記データ処理ステップは、
前記レシート用制御コマンドの中から前記画像印刷指示コマンドを抽出すると共に、抽出した前記画像印刷指示コマンドに含まれる画像データの誤り検出符号、または、ハッシュ値が、予め定められた所定の値と一致する場合に、抽出した前記画像印刷指示コマンドが、前記クーポン画像印刷指示コマンドであると判別し、前記クーポン画像印刷指示コマンドが前記レシート用制御コマンドに含まれていると判別する
ことを特徴とする請求項７に記載の制御装置の制御方法。
【請求項１２】
前記印刷制御ステップは、
発行しようとしているレシートに係る会計に関する所定の条件が成立した場合に、成立した条件に対応するクーポンに係る前記クーポン画像印刷指示コマンドを前記レシート用制御コマンドに含め、
前記データ処理ステップは、
前記レシート用制御コマンドに基づいて、発行しようとしているレシートに係る会計に関する所定の条件が成立しているか否かを判別し、成立している場合、前記クーポン画像印刷指示コマンドが前記レシート用制御コマンドに含まれていると判別する
ことを特徴とする請求項７に記載の制御装置の制御方法。
【手続補正２】
【補正対象書類名】明細書
【補正対象項目名】発明の名称
【補正方法】変更
【補正の内容】
【発明の名称】制御装置、および、制御装置の制御方法
【手続補正３】
【補正対象書類名】明細書
【補正対象項目名】０００１
【補正方法】変更
【補正の内容】
【０００１】
本発明は、レシート発行用の印刷装置に接続された制御装置、および、当該制御装置の制御方法に関する。
【手続補正４】
【補正対象書類名】明細書
【補正対象項目名】００１１
【補正方法】変更
【補正の内容】
【００１１】
また、上記目的を達成するために、本発明は、レシート発行用の第１印刷装置に接続されると共に、前記第１印刷装置とは異なる第２印刷装置が接続された制御装置の制御方法であって、前記第１印刷装置にレシートを発行させるレシート用制御コマンドを生成する印刷制御ステップと、前記印刷制御ステップが生成した前記レシート用制御コマンドに、画像データに基づく画像の印刷を指示する画像印刷指示コマンドであってクーポン画像の印刷を指示するクーポン画像印刷指示コマンドが含まれているか否かを判別し、含まれていると判別された場合、前記クーポン画像印刷指示コマンドを抜き出したレシート用制御コマンドを生成して前記第１印刷装置に出力すると共に、前記クーポン画像印刷指示コマンドに基づいて、クーポン画像を印刷させるクーポン用制御コマンドを生成して前記第２印刷装置に出力するデータ処理ステップと、を有することを特徴とする。
この制御方法によれば、レシート用制御コマンドにクーポン画像印刷指示コマンドが含まれているか否か判別した上で、含まれている場合、クーポン画像印刷指示コマンドが抜き出されたレシート用制御コマンドが第１印刷装置に出力され、クーポン画像印刷指示コマンドに基づくクーポン用制御コマンドが第２印刷装置に出力される。この結果、第１印刷装置によりクーポンの画像が印刷されていないレシートが発行され、第２印刷装置によりクーポンが発行される。そして、レシートとクーポンとを別個に発行する際に印刷制御部が出力する制御コマンドは、レシート上にクーポンの画像を印刷するときの制御コマンドと同じであるため、印刷制御部の機能を実現するプログラムの改変が必要ない。すなわち、制御装置に対する改変を抑制できる。